(57)【要約】【課題】トラックジャンプの際のディスク制御に対する第２の制御回路を省略し、短いアクセス時間を得る。【解決手段】任意の目標トラックへのトラックジャンプの際に制御回路が回転数制御のため開かれ、記憶されたパルス幅比から目標トラックに対応付けられたパルス幅比が計算され、前記電動機は計算されたパルス幅比を有する信号により制御され、目標トラックに到達した際に制御回路が再び閉じられる。【選択図】なし【特許請求の範囲】
【請求項１】
再生装置が一定のトラック速度で走査装置を用いてデータを電動機により駆動されるディスクから読み出し、前記ディスクの回転数はその上に記録されている同期信号を用いて制御される
再生装置のアクセス時間短縮方法において、
データ再生開始前に走査装置により選択されたデータトラックが走査され、そのあいだ電動機はパルス幅変調信号により制御され、該パルス幅変調信号のパルス幅比は選択されたデータトラックに対応づけられた回転数にディスクが到達するまで変化され、選択されたデータトラックに対して見出されたパルス幅比が記憶され、
或る１つのデータトラックから任意の目標トラックへのトラックジャンプの際に制御回路が回転数制御のため開かれ、記憶されたパルス幅比から目標トラックに対応付けられたパルス幅比が計算され、前記電動機は計算されたパルス幅比を有する信号により制御され、目標トラックに到達した際に前記制御回路が再び閉じられる
ことを特徴とする再生装置のアクセス時間短縮方法。
【発明の詳細な説明】
【技術分野】
【０００１】
本発明は再生装置のアクセス時間短縮方法に関する。
【背景技術】
【０００２】
一定の角速度で回転するディスクについてこれと接触せずにデータを走査する再生装置が公知である。この再生装置としてはＣＡＶシステム（Constant Angular Velocity System）と称されるシステムのほか、一定のトラック速度でディスクを走査する再生装置も存在する。したがってこうしたシステムはＣＬＶシステム（Constant Linear Velocity System）と称される。このシステムに含まれるＣＤプレーヤでは、最も内側のデータトラックから始まって最も外側のデータトラックまでの走査の際に、内側から外側へ向かってディスクの回転数がデータトラックごとに高められる。
【０００３】
ディスクの回転数の制御は、データ再生中にこのディスクに記録されている同期信号を用いて行われる。ＣＤプレーヤの場合にはデコーダは８−１４変調方式（ＥＦＭ方式）にしたがって記録されたデータをデコーディングする。デコーダから送出されるディスクの回転数制御用の同期信号は、追従同期を行うことのできる位相制御回路ＰＬＬのための制御電圧として用いられる。
【０００４】
或る１つのデータトラックから目標トラックへのトラックジャンプの際には、ディスクの回転数制御のために制御回路が開かれる。それと同時に目標トラックに必要な回転数が計算される。光学走査装置の光ビームが目標トラックへジャンプする間に、ディスクの回転数は第２の制御回路を用いて目標トラックの走査に必要な回転数へ制御される。
【０００５】
トラックジャンプ中、瞬時の回転数はディスク上に記録されている同期信号を用いてももはや検出できないので、第２の制御回路は回転数を検出するために回転数発生器すなわちタコジェネレータを備えている。光ビームが目標トラックに到来するときには、第２の制御回路はディスクの回転数を目標トラックに必要な値へ制御している。第２の制御回路は再び遮断され、同時に第１の制御回路の制御ループが閉じられる。ここでディスクの回転数は再び、ディスク上に記録された同期信号によって制御される。
【０００６】
その時点で走査されているデータトラックから目標トラックへのトラックジャンプの際に、第２の制御回路を用いてディスクの回転数を目標トラックに対応する設定値へ制御する手段により、きわめて短いアクセス時間が得られる。これは、光ビームが到来したときにはディスクが既に適正な回転数で回転しているからである。
【０００７】
ただしここではタコジェネレータを備えた第２の制御回路が必要になるという欠点がある。
【発明の開示】
【発明が解決しようとする課題】
【０００８】
したがって本発明の課題は、トラックジャンプの際のディスク制御に対する第２の制御回路を省略し、短いアクセス時間を得ることである。
【課題を解決するための手段】
【０００９】
この課題は、データ再生開始前に走査装置により選択されたデータトラックが走査され、そのあいだ電動機はパルス幅変調信号により制御され、パルス幅変調信号のパルス幅比は選択されたデータトラックに対応づけられた回転数にディスクが到達するまで変化され、選択されたデータトラックに対して見出されたパルス幅比が記憶され、或る１つのデータトラックから任意の目標トラックへのトラックジャンプの際に制御回路が回転数制御のため開かれ、記憶されたパルス幅比から目標トラックに対応付けられたパルス幅比が計算され、前記電動機は計算されたパルス幅比を有する信号により制御され、目標トラックに到達した際に前記制御回路が再び閉じられることにより解決される。
【実施例】
【００１０】
ＣＤプレーヤの実施例について以下に本発明を説明する。
【００１１】
ＣＤディスクを回転する電動機はパルス幅変調信号により制御されるので、ディスクの回転数はパルス幅比またはパルス幅変調のデューティ比の値に依存する。
【００１２】
本発明は次のことを認識の基礎としている。すなわち、各回転数に対して所定の１つのパルス幅比の値が必要である。また必要なパルス幅比は所定の１つのトラックに対するパルス幅比が既知となれば計算によって求めることができる。
【００１３】
したがってディスクを装置へ挿入した後、まず第１に所定のデータトラック位置、例えばスターティングトラックおよびエンディングトラックが走査され、ディスク上に記録された同期信号を用いてディスクの回転数が適正値へ制御される。この回転数で電動機を制御するためのパルス幅比が設定され、メモリ内に記憶される。
【００１４】
或る１つのトラックから目標トラックへのトラックジャンプの際に、ディスクの回転数を制御する制御回路が開かれる。次に記憶されたパルス幅比から目標トラックに対応するパルス幅比が計算される。計算されたパルス幅比を有する制御信号がディスクを回転させる電動機へ加えられ、これによりディスクは目標トラックに必要な回転数で回転する。従来技術における場合と同様に、光ビームが目標トラックに到来したときには、ディスクは既に適正な回転数で回転している。ここで制御回路は閉じられ、再びディスク上に記録された同期信号により回転数制御が行われる。
【００１５】
本発明におけるアクセス時間は従来技術における場合と同様の短さであり、しかも構成部品に対する付加的なコストを何ら要しない。例えばタコジェネレータを備えた第２の制御回路も必要ない。
【００１６】
各ディスクに対して再生前に個別にパルス幅比を求めることにより、個々のディスクでの慣性モーメントやディスクのタイプおよび大きさの点で差があっても問題は生じない。
【００１７】
前述のように、ＣＤごとに、例えばスターティングトラックまたはエンディングトラックに対してパルス幅比が求められる。また複数の既知のデータトラック、例えばスターティングトラックおよびエンディングトラックに対してパルス幅比を求めることもできる。記憶された値は目標トラックに必要なパルス幅比を計算するための基礎として用いられる。そのつど必要なパルス幅比の計算は、各ＣＤプレーヤに設けられているマイクロプロセッサで行われる。
【００１８】
本発明は回転ディスクを無接触で一定のトラック速度により走査する記録および／または再生装置、例えばＣＤプレーヤ、ビデオディスクプレーヤ、ＤＲＡＷディスクプレーヤ、光磁気ディスクプレーヤなどに適している。